(57)【要約】【課題】操作性が良く、かつ、価格を削減することができる移動通信端末装置を提供すること。【解決手段】本発明の移動通信端末装置１００は、移動通信端末装置本体１０１と、移動通信端末装置本体１０１に形成されているカードスロット部１０２と、カードスロット部に配設され前記移動通信端末装置本体の装置と電気的に接続されている操作用接続部１０３と、操作用接続部１０３に電気的に接続されるようにカードスロット部１０２に着脱可能に装着される複数のカード型ボタン操作部１０４−１〜１０４−３と、を具備する。操作用接続部１０３に電気的に接続されるようにカードスロット部１０２に装着されたカード型ボタン操作部１０４−１〜１０４−３の各々は、複数の操作ボタンのいずれかを操作されることにより信号を操作用接続部１０３を介して移動通信端末装置本体１０１の前記装置に与える。【選択図】      図１
2004179962.tif 000002
【特許請求の範囲】
【請求項１】
移動通信端末装置本体と、前記移動通信端末装置本体に形成されているカードスロット部と、前記カードスロット部に配設され前記移動通信端末装置本体の装置と電気的に接続されている操作用接続部と、前記操作用接続部に電気的に接続されるように前記カードスロット部に着脱可能に装着される複数のカード型ボタン操作部と、を具備し、前記操作用接続部に電気的に接続されるように前記カードスロット部に装着された前記カード型ボタン操作部は、複数の操作ボタンのいずれかを操作されることにより信号を前記操作用接続部を介して前記移動通信端末装置本体の前記装置に与えることを特徴とする移動通信端末装置。
【請求項２】
前記複数のカード型ボタン操作部は、一枚のカード上に複数の簡易操作ボタンが配設されているカード型簡易ボタン操作部と、一枚のカード上に複数の通常操作ボタンが配設されているカード型通常ボタン操作部と、を具備することを特徴とする請求項１記載の移動通信端末装置。
【請求項３】
前記複数のカード型ボタン操作部は、一枚のカード上にゲーム操作に適する複数の操作ボタンが配設されているカード型ボタン操作部を具備することを特徴とする請求項１記載の移動通信端末装置。
【請求項４】
前記複数のカード型ボタン操作部は、一枚のカード上にインターネットの閲覧に適した複数の操作ボタンが配設されているカード型ボタン操作部を具備することを特徴とする請求項１記載の移動通信端末装置。
【請求項５】
前記複数のカード型ボタン操作部は、一枚のカード上にメールの作成に適した複数の操作ボタンが配設されているカード型ボタン操作部を具備することを特徴とする請求項１記載の移動通信端末装置。
【請求項６】
前記複数のカード型ボタン操作部は、一枚のカードの一面に一つの機能に適した複数の操作ボタンが配設され、かつ、前記カードの他の面に他の機能に適した複数の操作ボタンが配設されているカード型ボタン操作部を具備することを特徴とする請求項１記載の移動通信端末装置。
【発明の詳細な説明】
【０００１】
【発明の属する技術分野】
本発明は、移動通信端末装置本体の装置に操作信号等の信号を入力するためのボタン操作部を具備する移動通信端末装置に関するものである。
【０００２】
【従来の技術】
従来、移動通信端末装置として、移動通信端末装置本体に設けられている通常ボタン操作部と、移動通信端末装置本体にスライド可能に設けられている簡易ボタン操作部と、を具備するものがある（特許文献１参照）。
【０００３】
この移動通信端末装置においては、前記通常ボタン操作部は、前記簡易ボタン操作部のスライドカバーを開いた時に操作することができるテンキーボタン及び通常の複数の操作ボタンが配設されている。前記簡易ボタン操作部は、前記スライドカバーの上にワンタッチダイヤルボタン、通話開始ボタン及び通話終了ボタンのみが配設されている。
【０００４】
【特許文献１】
特開２００１−１１９４６７号公報
【０００５】
【発明が解決しようとする課題】
しかしながら、従来の移動通信端末装置おいては、付加機能が同じである移動通信端末装置を製造する時に、前記簡易ボタン操作部及び前記通常操作部を具備した移動通信端末装置と、一般使用者を対象とした前記簡易ボタン操作部を具備せず前記通常操作部のみを具備する移動通信端末装置との２種類のものを製造する必要があるという問題がある。また、このため、従来の移動通信端末装置おいては、操作性が悪く、かつ、価格が高いという問題がある。
【０００６】
本発明は、かかる点に鑑みてなされたものであり、操作性が良く、かつ、価格を削減することができる移動通信端末装置を提供することを目的とする。
【０００７】
【課題を解決するための手段】
本発明の移動通信端末装置は、移動通信端末装置本体と、前記移動通信端末装置本体に形成されているカードスロット部と、前記カードスロット部に配設され前記移動通信端末装置本体の装置と電気的に接続されている操作用接続部と、前記操作用接続部に電気的に接続されるように前記カードスロット部に着脱可能に装着される複数のカード型ボタン操作部と、を具備し、前記操作用接続部に電気的に接続されるように前記カードスロット部に装着された前記カード型ボタン操作部は、複数の操作ボタンのいずれかを操作されることにより信号を前記操作用接続部を介して前記移動通信端末装置本体の前記装置に与える構成を採る。
【０００８】
この構成によれば、複数のカード型ボタン操作部のうちから使用者の望む操作性を有したカード型ボタン操作部を選択し、カードスロット部に挿入することにより、使用者の望む操作性に応じてカード型ボタン操作部を変更することができるから、操作性が良く、かつ、価格を削減することができる。
【０００９】
本発明の移動通信端末装置は、前記構成において、前記複数のカード型ボタン操作部が、一枚のカード上に複数の簡易操作ボタンが配設されているカード型簡易ボタン操作部と、一枚のカード上に複数の通常操作ボタンが配設されているカード型通常ボタン操作部と、を具備する構成を採る。
【００１０】
この構成によれば、前記効果に加えて、使用者の望む操作性を有したカード型簡易ボタン操作部又はカード型通常ボタン操作部を選択し、カードスロット部に挿入することにより、使用者の望む操作性に応じてカード型簡易ボタン操作部又はカード型通常ボタン操作部を移動通信端末装置本体に装着して使用者が使用することができる。
【００１１】
本発明の移動通信端末装置は、前記構成において、前記複数のカード型ボタン操作部が、一枚のカード上にゲーム操作に適する複数の操作ボタンが配設されているカード型ボタン操作部を具備する構成を採る。
【００１２】
この構成によれば、前記効果に加えて、使用者がゲーム機能を利用する時に、ゲーム操作に適したカード型ボタン操作部を前記カードスロット部に挿入することにより、使用者のゲーム操作に適したカード型ボタン操作部を使用することができる。
【００１３】
本発明の移動通信端末装置は、前記構成において、前記複数のカード型ボタン操作部が、一枚のカード上にインターネット閲覧に適した複数の操作ボタンが配設されているカード型ボタン操作部を具備する構成を採る。
【００１４】
この構成によれば、前記効果に加えて、使用者がインターネットの閲覧を行う時に、インターネットの閲覧に適したカード型ボタン操作部を前記カードスロット部に挿入することにより、使用者がインターネットの閲覧に適したカード型ボタン操作部を使用することができる。
【００１５】
本発明の移動通信端末装置は、前記構成において、前記複数のカード型ボタン操作部が、一枚のカード上にメールの作成に適した複数の操作ボタンが配設されているカード型ボタン操作部を具備する構成を採る。
【００１６】
この構成によれば、前記効果に加えて、使用者がメールの作成を行う時に、メールの作成に適したカード型ボタン操作部をカードスロット部に挿入することにより、使用者がメールの作成に適したカード型ボタン操作部を使用することができる。
【００１７】
本発明の移動通信端末装置は、前記構成において、前記複数のカード型ボタン操作部が、一枚のカードの一面に一つの機能に適した複数の操作ボタンが配設され、かつ、前記カードの他の面に他の機能に適した複数の操作ボタンが配設されているカード型ボタン操作部を具備する構成を採る。
【００１８】
この構成によれば、前記効果に加えて、一つのカード型ボタン操作部をその表裏を変えてカードスロット部に挿入することにより、使用者が二つの機能に適したカード型ボタン操作部を使用することができる。
【００１９】
【発明の実施の形態】
本発明の骨子は、移動通信端末装置本体のカードスロット部に着脱可能に装着される複数のカード型ボタン操作部を具備し、前記カードスロット部に装着された前記カード型ボタン操作部が、複数のボタンのいずれかを操作されることにより信号を操作用接続部を介して前記移動通信端末装置本体の装置に与えることである。
【００２０】
以下、本発明の実施の形態について、図面を参照して説明する。
【００２１】
（実施の形態１）
図１は、本発明の実施の形態１に係る移動通信端末装置を示す略斜視図である。図２は、本発明の実施の形態１に係る移動通信端末装置を示すブロック図である。
【００２２】
図１に示すように、本発明の実施の形態１に係る移動通信端末装置１００は、移動通信端末装置本体１０１と、カードスロット部１０２、操作用接続部１０３及び複数のカード型ボタン操作部１０４−１〜１０４−３を具備している。
【００２３】
移動通信端末装置本体１０１は、基地局を介して他の通信装置と通信を行うための装置を内蔵している。カードスロット部１０２は、移動通信端末装置本体１０１の下部に形成されている。カードスロット部１０２は、移動通信端末装置本体１０１の表面部に内周面１０２ａを有している。カードスロット部１０２の内周面１０２ａは、移動通信端末装置本体１０１の表面側に開口する表面開口部１０２ｂを規定している。
【００２４】
操作用接続部１０３は、カードスロット部１０２の上部に配設されている。操作用接続部１０３は、移動通信端末装置本体１０１の装置と電気的に接続されている。
【００２５】
複数のカード型ボタン操作部１０４−１〜１０４−３の各々は、一枚のカード上に配設さている複数の操作ボタンを有するものである。カード型ボタン操作部１０４−１の前記複数の操作ボタンは、例えば、一枚のカードの上に配設されているテンキーボタン１０４−１０、通話開始ボタン１０４−１１、スクロールボタン１０４−１２及び通話終了ボタン１０４−１３を有している。
【００２６】
複数のカード型ボタン操作部１０４−１〜１０４−３の各々は、操作用接続部１０３に電気的に接続されるようにカードスロット部１０２に着脱可能に装着される。カード型ボタン操作部１０４−１〜１０４−３の各々は、操作用接続部１０３に電気的に接続されるようにカードスロット部１０２に装着された時に、複数の操作ボタンのいずれかを操作されることにより信号を操作用接続部１０３を介して移動通信端末装置本体１０１の装置に与えるものである。
【００２７】
使用者は、カード型ボタン操作部１０４−１〜１０４−３のいずれかを選択し、操作用接続部１０３に電気的に接続されるようにカードスロット部１０２に装着した時に、装着したカード型ボタン操作部１０４−１〜１０４−３のいずれかの操作ボタンを操作し移動通信端末装置本体１０１の装置に信号を与えて移動通信端末装置本体１０１の装置を操作することができる。
【００２８】
図２に示すように、移動通信端末装置本体１０１は、カード識別部２０１、信号検出部２０２、メモリ装置２０３、制御部２０４、表示部２０５、無線通信部２０６及びアンテナ２０７を具備している。
【００２９】
カード識別部２０１及び信号検出部２０２は、操作用接続部１０３に接続されている。信号検出部２０２は、カード識別部２０１に接続されている。制御部２０４は、信号検出部２０２、メモリ装置２０３、表示部２０５及び無線通信部２０６に接続されている。アンテナ２０７は、無線通信部２０６に接続されている。
【００３０】
複数のカード型ボタン操作部１０４−１〜１０４−３の各々は、操作用接続部１０３に電気的に接続されるようにカードスロット部１０２に着脱可能に装着された時に、操作用接続部１０３を介してカード識別部２０１及び信号検出部２０２に接続される。複数のカード型ボタン操作部１０４−１〜１０４−３の各々が操作用接続部１０３に接続された時に、複数のカード型ボタン操作部１０４−１〜１０４−３の各々は自分を示すカード識別信号を操作用接続部１０３をカード識別部２０１に与える。カード識別部２０１は、カード識別信号を受けて複数のカード型ボタン操作部１０４−１〜１０４−３のうちのいずれがカードスロット部１０２に装着されたかを識別してカード識別情報を生成する。
【００３１】
また、複数のカード型ボタン操作部１０４−１〜１０４−３の各々が操作用接続部１０３に接続された時に、複数のカード型ボタン操作部１０４−１〜１０４−３の各々は、使用者によって操作ボタンが押された時に当該操作ボタンに対応した信号を操作用接続部１０３を介して信号検出部２０２に与える。信号検出部２０２は、カード識別部２０１からのカード識別情報に基づいて操作された操作ボタンの信号を検出して制御部２０４に与える。制御部２０４は、信号検出部２０２からの信号に基づいて、メモリ装置２０３に記憶している電話番号の読出、表示部２０５に対する前記電話番号の表示、並びに、無線通信部２０６及びアンテナ２０７を介して前記電話番号の電話機への発信を行うなどの各制御を行う。
【００３２】
このような本発明の実施の形態１によれば、複数のカード型ボタン操作部１０４−１〜１０４−３から使用者の望む操作性を有したカード型ボタン操作部を選択し、カードスロット部に挿入することにより、使用者の望む操作性に応じてカード型ボタン操作部を変更することができるから、操作性がよく、かつ、価格を削減することができる。
【００３３】
なお、本発明の実施の形態１において、前記複数のカード型ボタン操作部は、一枚のカード上にゲーム操作に適する複数の操作ボタンが配設されているカード型ボタン操作部を具備するようにしてもよい。
【００３４】
この場合には、使用者がゲーム機能を利用する時に、ゲーム操作に適したカード型ボタン操作部を前記カードスロット部に挿入することにより、使用者のゲーム操作に適したカード型ボタン操作部を使用することができる。
【００３５】
また、本発明の実施の形態１において、前記複数のカード型ボタン操作部は、一枚のカード上にインターネットの閲覧に適した複数の操作ボタンが配設されているカード型ボタン操作部を具備するようにしてもよい。
【００３６】
この場合には、使用者がインターネットの閲覧を行う時に、インターネットの閲覧に適したカード型ボタン操作部を前記カードスロット部に挿入することにより、使用者がインターネットの閲覧に適したカード型ボタン操作部を使用することができる。
【００３７】
また、本発明の実施の形態１において、前記複数のカード型ボタン操作部は、一枚のカード上にメールの作成に適した複数の操作ボタンが配設されているカード型ボタン操作部を具備するようにしてもよい。
【００３８】
この場合には、使用者がメールの作成を行う時に、メールの作成に適したカード型ボタン操作部をカードスロット部に挿入することにより、使用者がメールの作成に適したカード型ボタン操作部を使用することができる。
【００３９】
（実施の形態２）
次に、本発明の実施の形態２について、図面を参照して説明する。図３は、本発明の実施の形態２に係る移動通信端末装置を示す略斜視図である。本発明の実施の形態２においては、本発明の実施の形態１と同じ構成要素には同じ参照符号を付して、その説明を省略する。
【００４０】
図３に示すように、本発明の実施の形態２に係る移動通信端末装置３００は、移動通信端末装置本体１０１と、カードスロット部１０２、操作用接続部１０３、カード型通常ボタン操作部３０４−１及びカード型簡易ボタン操作部３０４−２を具備している。なお、本発明の実施の形態２に係る移動通信端末装置３００は、本発明の実施の形態１に係る各種のカード型ボタン操作部を具備している。
【００４１】
カード型通常ボタン操作部３０４−１は、例えば、一枚のカード上に配設さているテンキーボタン３０４−１０、通話開始ボタン３０４−１１、スクロールボタン３０４−１２及び通話終了ボタン３０４−１３を有している。
【００４２】
また、カード型簡易ボタン操作部３０４−２は、例えば、一枚のカード上に配置されている通話開始ボタン３０４−２１、通話終了ボタン３０４−２２及び複数のワンタッチダイヤルボタン３０４−２３を有している。
【００４３】
カード型通常ボタン操作部３０４−１及びカード型簡易ボタン操作部３０４−２の各々は、操作用接続部１０３に電気的に接続されるようにカードスロット部１０２に着脱可能に装着される。カード型通常ボタン操作部３０４−１及びカード型簡易ボタン操作部３０４−２の各々は、操作用接続部１０３に電気的に接続されるようにカードスロット部１０２に装着された時に、複数の操作ボタンのいずれかを操作されることにより信号を操作用接続部１０３を介して移動通信端末装置本体１０１の装置に与えるものである。
【００４４】
使用者は、カード型通常ボタン操作部３０４−１及びカード型簡易ボタン操作部３０４−２のいずれかを選択し、操作用接続部１０３に電気的に接続されるようにカードスロット部１０２に装着した時に、装着したカード型通常ボタン操作部３０４−１及びカード型簡易ボタン操作部３０４−２のいずれかの操作ボタンを操作し移動通信端末装置本体１０１の装置に信号を与えて移動通信端末装置本体１０１の装置を操作することができる。
【００４５】
使用者がカード型通常ボタン操作部３０４−１を選択し移動通信端末装置３００を利用する場合に、カード型通常ボタン操作部３０４−１をカードスロット部１０２に装着して操作用接続部１０３に電気的に接続する。この場合に、移動通信端末装置本体１０１にあるカード識別部２０１は、カードスロット部１０２に装着したカード型通常ボタン操作部３０４−１からの信号を識別し、カード識別情報を生成し信号検出部２０２に送る。
【００４６】
使用者がテンキーボタン３０４−１０を用いて相手先の電話機に発信する場合に、テンキーボタン３０４−１０により相手先の電話番号を入力し通話開始ボタン３０４−１１を押すと、信号検出部２０２はカード識別部２０１からのカード識別情報を基づいて、テンキーボタン３０４−１０及び通話開始ボタン通話開始ボタン３０４−１１の信号を制御部２０４に伝える。制御部２０４は、信号検出部２０２からの信号に基づいて、表示部２０５に相手先の電話番号を表示し、かつ、無線通信部２０６及びアンテナ２０７を介して相手先の電話機に対して発信を行う。
【００４７】
使用者がメモリ装置２０３に予め登録されている相手先の電話機に発信する場合に、スクロールボタン３０４−１２を押すと、信号検出部２０２はカード識別部２０１からのカード識別情報を基づいて、スクロールボタン３０４−１２の信号を制御部２０４に伝える。制御部２０４は、信号検出部２０２からの信号に基づいて、メモリ装置２０３に予め登録されている相手先の電話番号を表示部２０５に表示し、使用者が相手先の電話番号を見つけた場合に通話開始ボタン３０４−１１を押すことにより信号を受けて、無線通信部２０６及びアンテナ２０７を介して相手先の電話機に対して発信を行う。
【００４８】
また、使用者は、カード型簡易ボタン操作部３０４−２を利用する場合に、カードスロット部１０２にカード型簡易ボタン操作部３０４−２を装着して操作用接続部１０３に電気的に接続する。この場合に、移動通信端末装置本体１０１にあるカード識別部２０１は、カードスロット部１０２に装着したカード型簡易ボタン操作部３０４−２からの信号を識別し、カード識別情報を生成し信号検出部２０２に送る。
【００４９】
使用者がワンタッチダイヤルボタン３０４−２３を用いて相手先の電話機に発信する場合に、ワンタッチダイヤルボタン３０４−２３のいずれかにより相手先の電話番号を入力し通話開始ボタン３０４−２１を押すと、信号検出部２０２はカード識別部２０１からのカード識別情報を基づいて、ワンタッチダイヤルボタン３０４−２３のいずれか１つと通話開始ボタン３０４−２１との信号を制御部２０４に伝える。制御部２０４は、信号検出部２０２からの信号に基づいて、表示部２０５に相手先の電話番号を表示し、かつ、無線通信部２０６及びアンテナ２０７を介して相手先の電話機に対して発信を行う。
【００５０】
このような本発明の実施の形態２によれば、本発明の実施の形態１の効果に加えて、使用者の望む操作性を有したカード型簡易ボタン操作部３０４−２又はカード型通常ボタン操作部３０４−１を選択し、カードスロット部１０２に装着することにより、使用者の望む操作性に応じてカード型簡易ボタン操作部３０４−２又はカード型通常ボタン操作部３０４−１を移動通信端末装置本体１０１に装着して使用者が使用することができる。
【００５１】
（実施の形態３）
次に、本発明の実施の形態３について、図面を参照して説明する。図４は、本発明の実施の形態３に係る移動通信端末装置を示す略斜視図である。図５は、本発明の実施の形態３に係る移動通信端末装置のカード型ボタン操作部を裏面側方向から見た略斜視図である。本発明の実施の形態２においては、本発明の実施の形態１と同じ構成要素には同じ参照符号を付して、その説明を省略する。
【００５２】
図４に示すように、本発明の実施の形態３に係る移動通信端末装置４００は、移動通信端末装置本体１０１と、カードスロット部１０２、操作用接続部１０３及びカード型ボタン操作部４０１を具備している。なお、本発明の実施の形態３に係る移動通信端末装置４００は、本発明の実施の形態１に係る各種のカード型ボタン操作部を具備している。
【００５３】
カード型ボタン操作部４０１は、一枚のカードの一面に一つの機能に適した複数の操作ボタンが配設され、かつ、前記カードの他の面に他の機能に適した複数の操作ボタンが配設されている。
【００５４】
カード型ボタン操作部４０１における前記一面の複数の操作ボタンは、例えば、一枚のカードの上に配設さている通話開始ボタン３０４−２１、通話終了ボタン３０４−２２及びワンタッチダイヤルボタン３０４−２３からなる。
【００５５】
一方、カード型ボタン操作部４０１における前記他の面の複数の操作ボタンは、例えば、図５に示すように、一枚のカードの上に配設さているテンキーボタン３０４−１０、通話開始ボタン３０４−１１、スクロールボタン３０４−１２及び通話終了ボタン３０４−１３からなる。
【００５６】
使用者は自ら望む操作性操作に適したカード型ボタン操作部４０１の前記一面が移動通信端末装置本体１０１の表面開口部１０２ｂを向くようにカード型ボタン操作部４０１をカードスロット部１０２に装着して操作用接続部１０３に接続する。そして、移動通信端末装置本体１０１にあるカード識別部２０１は、カードスロット部１０２に挿入したカード型ボタン操作部４０１の種類を識別してカード識別情報を生成して信号検出部２０２に送る。使用者がカード型ボタン操作部４０１の前記一面における複数の操作ボタンを押すことにより、前述と同様の動作が実行される。
【００５７】
また、使用者は自ら望む操作性操作に適したカード型ボタン操作部４０１の前記他の面が移動通信端末装置本体１０１の表面開口部１０２ｂを向くようにカード型ボタン操作部４０１をカードスロット部１０２に装着して操作用接続部１０３に接続する。そして、移動通信端末装置本体１０１にあるカード識別部２０１は、カードスロット部１０２に挿入したカード型ボタン操作部４０１の種類を識別してカード識別情報を生成して信号検出部２０２に送る。使用者がカード型ボタン操作部４０１の前記他の面における操作ボタンを押すことにより、前述と同様の動作が実行される。
【００５８】
なお、本発明の実施の形態３においては、カード型ボタン操作部４０１の前記一面及び前記他の面に配設される複数の操作ボタンの種類は、前記のものに限定されない。すなわち、カード型ボタン操作部４０１は、前記一面に一つの機能に適した複数の操作ボタンが配設され、かつ、前記他の面に他の機能に適した複数の操作ボタンが配設されている構成でよい。例えば、カード型ボタン操作部４０１は、前記一面にゲーム操作に適する複数の操作ボタンが配設され、かつ、前記他の面にインターネットの閲覧に適した複数の操作ボタンが配設されている構成でもよい。
【００５９】
このような本発明の実施の形態３によれば、本発明の実施の形態１の効果に加えて、一つのカード型ボタン操作部をその表裏を変えてカードスロット部に挿入することにより、使用者が二つの機能に適したカード型ボタン操作部を使用することができる。
【００６０】
【発明の効果】
以上説明したように、本発明によれば、複数のカード型ボタン操作部のうちから使用者の望む操作性を有したカード型ボタン操作部を選択し、カードスロット部に挿入することにより、使用者の望む操作性に応じてカード型ボタン操作部を変更することができるから、操作性が良く、かつ、価格を削減することができる。
【図面の簡単な説明】
【図１】本発明の実施の形態１に係る移動通信端末装置を示す略斜視図
【図２】本発明の実施の形態１に係る移動通信端末装置の構成を示すブロック図
【図３】本発明の実施の形態２に係る移動通信端末装置を示す略斜視図
【図４】本発明の実施の形態３に係る移動通信端末装置を示す略斜視図
【図５】図４の本発明の実施の形態３に係る移動通信端末装置のカード型ボタン操作部の他の面を示す略斜視図
【符号の説明】
１００、３００、４００  移動通信端末装置
１０１  移動通信端末装置本体
１０２  カードスロット部
１０３  操作用接続部
１０４−１〜１０４−３、３０４−１、３０４−２、４０１  カード型ボタン操作部
【図１】
2004179962.tif 000003
【図２】
2004179962.tif 000004
【図３】
2004179962.tif 000005
【図４】
2004179962.tif 000006
【図５】
2004179962.tif 000007